(57)【要約】【課題】作業が簡単で施工性に優れる分岐ケースの装着方法と分岐管接続装置を提供する。【解決手段】分割片１Ａと分割片１Ｂとを含む複数の分割片を環状に接合してなる分岐ケース１を水道管Ｋの外周に装着する分岐ケースの装着方法において、分割片１Ａの周方向端部の内側に仕切弁２の端部を配置し、その分割片１Ａと仕切弁２とを仮組みする工程と、分割片１Ｂを水道管Ｋに被せる工程と、分割片１Ａと水道管Ｋとの仮組み体を吊り上げて水道管Ｋの上方に配置し、分割片１Ａを水道管Ｋに被せる工程と、仕切弁２の端部を挟み込んだ分割片１Ａと分割片１Ｂとの間を締結具により締め付ける工程とを備える。【選択図】図３
2015166628.tif 000002
【特許請求の範囲】
【請求項１】
第１分割片と第２分割片とを含む複数の分割片を環状に接合してなる分岐ケースを流体管の外周に装着する分岐ケースの装着方法において、
前記第１分割片の周方向端部の内側に接続管の端部を配置し、その第１分割片と前記接続管とを仮組みする工程と、
前記第２分割片を前記流体管に被せる工程と、
前記第１分割片と前記接続管との仮組み体を吊り上げて前記流体管の上方に配置し、前記第１分割片を前記流体管に被せる工程と、
前記接続管の端部を挟み込んだ前記第１分割片と前記第２分割片との間を締結具により締め付ける工程とを備えることを特徴とする分岐ケースの装着方法。
【請求項２】
前記仮組みする工程では、前記第１分割片の周方向端部に形成されたボルト孔に軸部材を挿通し、前記接続管に設けられた係合部を前記軸部材に対して前記接続管の軸方向に係合させる請求項１に記載の分岐ケースの装着方法。
【請求項３】
前記係合部が、前記接続管とは別個に設けられ且つ前記接続管に取り付け固定される係合治具を備え、前記仮組みする工程では前記係合治具を前記軸部材に係合させる請求項２に記載の分岐ケースの装着方法。
【請求項４】
前記接続管の外面に形成された突起を前記係合治具に嵌入し、前記係合治具を前記接続管に対して前記接続管の軸方向に係合させる請求項３に記載の分岐ケースの装着方法。
【請求項５】
前記第２分割片の周方向端部に形成されたボルト孔に前記仮組み体の前記軸部材を挿通させて、前記第１分割片に対する前記第２分割片の相対位置を調整する請求項２〜４のいずれか１項に記載の分岐ケースの装着方法。
【請求項６】
前記係合部が、前記流体管の軸方向の一方側と他方側を向く前記接続管の一対の側面に設けられている請求項２〜５のいずれか１項に記載の分岐ケースの装着方法。
【請求項７】
第１分割片と第２分割片とを含む複数の分割片を環状に接合してなり、流体管の外周に装着される分岐ケースと、前記第１分割片と前記第２分割片との間に端部を挟み込んで前記分岐ケースに接続される接続管とを備える分岐管接続装置において、
前記第１分割片の周方向端部の内側に前記接続管の端部を配置し、その第１分割片の周方向端部に形成されたボルト孔に軸部材を挿通した状態で、前記軸部材に対して前記接続管の軸方向に係合する係合部が前記接続管に設けられていることを特徴とする分岐管接続装置。
【請求項８】
前記係合部が、前記接続管とは別個に設けられ且つ前記接続管に取り付け固定されて前記軸部材に係合する係合治具を備える請求項７に記載の分岐管接続装置。
【発明の詳細な説明】
【技術分野】
【０００１】
本発明は、流体管に分岐管を接続する工事で使用される分岐ケースの装着方法と、かかる分岐ケースを備えた分岐管接続装置とに関する。
【背景技術】
【０００２】
近年、不断水の状態を維持したまま既設の水道管（流体管の一例）の周壁を穿孔し、その水道管の外周に装着された分岐ケースに仕切弁を介して分岐管を接続する不断水工法が採用されている。分岐ケースは、複数の分割片を環状に接合してなる割り構造を有し、一般には割Ｔ字管として構成される。従来の構造では、分岐ケースに仕切弁をフランジ接続していたが、地盤変動などによる大負荷が分岐管に作用した場合には、締結具のボルトが伸長する方向に力が加わるため、分岐ケースと仕切弁との接続箇所が開いたり、分割片同士の接続箇所が開いたりして漏水を起こす恐れがあった。
【０００３】
これに対して、本出願人は、図１１のような接続構造を有する装置を提案した（例えば特許文献１，２参照）。この装置では、分岐ケース９０を構成する分割片９１と分割片９２との間に仕切弁９３の端部を挟み込んでおり、地盤変動などによる大負荷が作用した場合でも締結具９４のボルトが伸長する方向に力が加わらないため、水道管Ｋ内の流体の漏出を効果的に防止できる。また、本出願人は、かかる接続構造を有する装置において、通常のソフトシール仕切弁の代わりに接続管を接続し、その接続管と分岐ケースとの接続箇所に弁構造を設ける手法も提案している（特許文献３参照）。
【０００４】
図１２は、分岐ケース９０を水道管Ｋに装着する手順を示している。まずは、（Ａ）のように分割片９１，９２を水道管Ｋに被せ、分割片９１，９２の仕切弁９３を挟み込まない方の端部を上向きにし、締結具９４で軽く締め付けて仮組みする。次に、（Ｂ）のように仮組み体を１８０度回転させて上下反転し、分割片９１，９２の仕切弁９３を挟み込む方の端部を上向きにする。そして、クレーンで吊り上げた仕切弁９３を（Ｃ）のように配置し、その仕切弁９３の端部を挟み込んだ分割片９１と分割片９２との間を締結具９４で軽く締め付ける。その後、分岐ケース９０を９０度回転させて仕切弁９３を水平方向に向け、締結具９４を強固に締め付けることで図１１の状態となる。
【０００５】
ところで、図１２に示した装着方法では、（Ｂ）のように分割片９１と分割片９２との間を適度に離しておき、そこに仕切弁９３の端部を差し込んでから締結具９４を締め付けることになる。このため、（Ｃ）の段階では、分割片９１と分割片９２の両方を動かして、それらを矢印の向きに寄せ合わせる作業が必要であった。しかし、これらの分割片９１，９２は重量物であるうえ、管径が大きくなるにつれて重量が増大することから、分割片９１，９２を寄せ合わせて締結具９４を締め付ける作業が煩雑であり、それに伴って施工性が悪化するという問題があった。
【先行技術文献】
【特許文献】
【０００６】
【特許文献１】特開２０１２−１０２８６５号公報
【特許文献２】特開２０１２−１０２７５２号公報
【特許文献３】特開２０１１−１０６５７２号公報
【発明の概要】
【発明が解決しようとする課題】
【０００７】
本発明は上記実情に鑑みてなされたものであり、その目的は、作業が簡単で施工性に優れる分岐ケースの装着方法と分岐管接続装置を提供することにある。
【課題を解決するための手段】
【０００８】
上記目的は、下記の如き本発明により達成できる。即ち、本発明に係る分岐ケースの装着方法は、第１分割片と第２分割片とを含む複数の分割片を環状に接合してなる分岐ケースを流体管の外周に装着する分岐ケースの装着方法において、前記第１分割片の周方向端部の内側に接続管の端部を配置し、その第１分割片と前記接続管とを仮組みする工程と、前記第２分割片を前記流体管に被せる工程と、前記第１分割片と前記接続管との仮組み体を吊り上げて前記流体管の上方に配置し、前記第１分割片を前記流体管に被せる工程と、前記接続管の端部を挟み込んだ前記第１分割片と前記第２分割片との間を締結具により締め付ける工程とを備えるものである。
【０００９】
この方法によれば、第１分割片と接続管とを仮組みして吊り上げ、その仮組み体を流体管の上方に配置して第１分割片を流体管に被せることから、第１分割片と接続管とを一体的に取扱いながら、流体管に被せる第１分割片の位置や姿勢を容易く変えることができる。このため、流体管に被せた第２分割片に対して第１分割片を寄せ合わせる作業や、接続管の端部を挟み込んだ第１分割片と第２分割片との間を締結具で締め付ける作業が簡単になり、施工性を向上することができる。
【００１０】
前記仮組みする工程では、前記第１分割片の周方向端部に形成されたボルト孔に軸部材を挿通し、前記接続管に設けられた係合部を前記軸部材に対して前記接続管の軸方向に係合させることが好ましい。これにより、第１分割片と接続管とを簡単に仮組みできるとともに、それらの仮組み体を安定して吊り上げるうえで都合がよい。
【００１１】
上記において、前記係合部が、前記接続管とは別個に設けられ且つ前記接続管に取り付け固定される係合治具を備え、前記仮組みする工程では前記係合治具を前記軸部材に係合させることが好ましい。これにより、接続管自体の構造を複雑にすることなく、係合部を簡易に設けることができる。特に接続管が鋳物である場合には、孔などを設けるための中子を不要にできるため有用である。前記接続管の外面に形成された突起を前記係合治具に嵌入し、前記係合治具を前記接続管に対して前記接続管の軸方向に係合させる場合には、簡素な構成により係合治具を接続管に取り付け固定できて好ましい。
【００１２】
前記第２分割片の周方向端部に形成されたボルト孔に前記仮組み体の前記軸部材を挿通させて、前記第１分割片に対する前記第２分割片の相対位置を調整することが好ましく、かかる方法によれば、より効果的に施工性を向上することができる。また、前記係合部が、前記流体管の軸方向の一方側と他方側を向く前記接続管の一対の側面に設けられていることが好ましく、それによって第１分割片と接続管との姿勢を適切な位置で安定させやすくなり、仮組み体をバランス良く吊り上げることができる。
【００１３】
また、本発明に係る分岐管接続装置は、第１分割片と第２分割片とを含む複数の分割片を環状に接合してなり、流体管の外周に装着される分岐ケースと、前記第１分割片と前記第２分割片との間に端部を挟み込んで前記分岐ケースに接続される接続管とを備える分岐管接続装置において、前記第１分割片の周方向端部の内側に前記接続管の端部を配置し、その第１分割片の周方向端部に形成されたボルト孔に軸部材を挿通した状態で、前記軸部材に対して前記接続管の軸方向に係合する係合部が前記接続管に設けられているものである。
【００１４】
かかる構成を備えた分岐管接続装置は、上述した分岐ケースの装着方法に供しうるものであり、既述のように作業が簡単になることで施工性を向上できる。また、接続管に上記の如き係合部が設けられていることにより、第１分割片と接続管とを簡単に仮組みできるとともに、それらの仮組み体を安定して吊り上げるうえで都合がよい。
【００１５】
上記の分岐管接続装置において、前記係合部が、前記接続管とは別個に設けられ且つ前記接続管に取り付け固定されて前記軸部材に係合する係合治具を備えるものが好ましい。これにより、接続管自体の構造を複雑にすることなく、係合部を簡易に設けることができる。特に接続管が鋳物である場合には、孔などを設けるための中子を不要にできるため有用である。
【図面の簡単な説明】
【００１６】
【図１】本発明に係る分岐管接続装置の一例を示す縦断面図
【図２】仮組み体を吊り上げた様子を示す図
【図３】吊り上げた仮組み体を水道管に被せる直前の様子を示す図
【図４】締結具の締め付けを終えた状態を示す図
【図５】仕切弁に設けられた係合部を示す拡大図
【図６】係合治具を示す図
【図７】仕切弁の斜視図
【図８】吊り上げた仮組み体を水道管に被せる直前の様子を示す図
【図９】仮組み体と一緒に第２分割片を吊り上げた様子を示す図
【図１０】他の実施形態における係合部を示す図
【図１１】特許文献１，２に開示される分岐管接続装置の典型的な構造を示す部分断面図
【図１２】図１１の分岐ケースを流体管に装着する手順を示す模式図
【発明を実施するための形態】
【００１７】
本発明の実施形態について図面を参照しながら説明する。
【００１８】
図１に示した分岐管接続装置は、既設の水道管Ｋ（流体管の一例）の外周に装着される分岐ケース１と、その分岐ケース１に接続される接続管としての仕切弁２とを備える。分岐ケース１は、分割片１Ａ（第１分割片に相当）と分割片１Ｂ（第２分割片に相当）とを含む複数の分割片を環状に接合してなり、本実施形態では上下２つ割りとなる割Ｔ字管として構成されている。仕切弁２は、分割片１Ａと分割片１Ｂとの間に端部を挟み込んで分岐ケース１に接続されている。分岐管１６は仕切弁２を介して分岐ケース１に接続されており、水道管Ｋから分岐管１６に向かう分岐路が形成されている。
【００１９】
分割片１Ａ，１Ｂは、水道管Ｋの周方向に沿った円弧状の部材であり、その周方向端部の各々にフランジが形成されている。分岐ケース１は、締結具１１の締め付けによりパッキン１２，１３を介して水密に閉じられている。水道管Ｋの穿孔箇所は分岐ケース１により取り囲まれ、その穿孔箇所から流体（即ち、水）が分岐管１６へと流れる。締結具１１はボルトとナットで構成され、そのボルトを挿通するためのボルト孔１５が分割片１Ａ，１Ｂの周方向端部に形成されている（図５参照）。仕切弁２を水平方向に向けた図１の状態では、ボルト孔１５の軸方向は上下方向となる。
【００２０】
仕切弁２は、弁軸２３の操作に応じて弁箱２１内の流路を開閉自在に変位する弁体２２を内蔵する。具体的に、仕切弁２は、流路を有する弁箱２１と、弁箱２１内の流路を遮断する閉位置と該流路を開放する開位置との間で変位する弁体２２と、弁体２２の変位を操作可能な弁軸２３と、弁軸２３を内蔵する弁蓋２５とを備える。弁箱２１は、両端部の間が連通可能な管状体により形成され、水道管Ｋと分岐管１６と間の管路を構成する。分岐管１６は仕切弁２の受口端部に接合されており、これらの接合形式は特に限定されるものではない。
【００２１】
弁箱２１の上方には挿通口２４が貫通形成されており、この挿通口２４を通じて弁体２２が弁箱２１の内外を出入りできる。図１では、弁体２２が上昇して開位置にある状態を示しており、この弁体２２が下降すると、閉位置に移行して弁箱２１内の流路を遮断する。弁蓋２５は、挿通口２４を覆うようにして弁箱２１に立設され、頂部２３ａを突出させた状態で弁軸２３を内蔵するとともに、開位置にある弁体２２を収容する。頂部２３ａには、弁軸２３を操作するための治具（不図示）が取り付けられる。弁蓋２５は、弁箱２１に着脱自在に接合されていて、必要に応じて取り外すことができる。
【００２２】
弁体２２は円板状に形成され、その分岐管１６側（図１右側）を向いた面にシール材が設けられている。弁体２２を閉位置に移行させると、弁箱２１の内周面に形成された周溝２６に弁体２２の周縁部が入り込み、その周溝２６の溝壁面にシール材が管軸方向から押し当たって圧縮され、弁箱２１と弁体２２との間が密封される。かかる弁体２２によれば、図１１のようなソフトシール仕切弁９３が備える弁体と比べて、その厚みを大幅に低減できるため、仕切弁２の面間寸法を短縮するうえで非常に有効である。
【００２３】
分岐管１６を接続する不断水工事では、まず既設の水道管Ｋに分岐ケース１を装着し、その分岐ケース１に接続された仕切弁２を通じてカッターを送り込んで、水道管Ｋの周壁を穿孔する。穿孔が完了したら、カッターを後退させつつ弁体２２を下降させて弁箱２１内の流路を遮断し、カッターを撤去して分岐管１６を仕切弁２に接続する。弁体２２を上昇させると図１の状態となり、水道管Ｋから分岐管１６への分水が行われる。かかる工法によれば、断水することなく分岐管１６を接続できるため、利便性に優れる。
【００２４】
次に、分岐ケース１を水道管Ｋの外周に装着する方法について説明する。この分岐ケース１の装着方法は、分割片１Ａの周方向端部の内側に仕切弁２の端部を配置し、その分割片１Ａと仕切弁２とを仮組みする工程（図５参照）と、分割片１Ｂを水道管Ｋに被せる工程と、分割片１Ａと仕切弁２との仮組み体を吊り上げて水道管Ｋの上方に配置し、分割片１Ａを水道管Ｋに被せる工程（図２，３参照）と、仕切弁２の端部を挟み込んだ分割片１Ａと分割片１Ｂとの間を締結具１１により締め付ける工程（図４参照）とを備える。
【００２５】
図２では、分割片１Ａと仕切弁２との仮組み体をクレーンなどの機材で吊り上げた様子を示している。これらは、分割片１Ａの周方向端部の内側に仕切弁２の端部を配置した状態で、それらの相対的な位置や姿勢が変わらないように組み付けられている。したがって、かかる仮組み状態においては、吊り上げた仮組み体から分割片１Ａが脱落したり、分割片１Ａに対して仕切弁２が軸周りに相対回転したりすることがない。仕切弁２の端部には、分割片１Ａの周方向端部の内面に係合する鍔部２７が形成されており、分割片１Ａの脱落防止に対しては鍔部２７も寄与しうる。
【００２６】
図３では、吊り上げた仮組み体を水道管Ｋの上方に配置する様子を示しており、このまま仮組み体を下降すれば分割片１Ａを水道管Ｋに被せることができる。吊り上げた仮組み体の姿勢は簡単に変えることができ、作業者が分割片１Ａを軽く支えるだけで仕切弁２を水平方向に向けられる。施工性を高めるうえでは、図３のように、分割片１Ａを水道管Ｋに被せる前に、分割片１Ｂを水道管Ｋに被せておくことが好ましい。但し、状況に応じて、分割片１Ａを水道管Ｋに被せた後に、或いは分割片１Ａと同時に、分割片１Ｂを水道管Ｋに被せても構わない。
【００２７】
図４は、仕切弁２の端部を挟み込んだ分割片１Ａと分割片１Ｂとの間を締結具１１により締め付けた状態を示している。分割片１Ａを水道管Ｋに被せた時点で、既に仕切弁２が水平方向を向いているため、図１２（Ｂ）のような回転作業は不要である。しかも、分割片１Ａを水道管Ｋに被せるだけで、分割片１Ａと分割片１Ｂとの間が離れることなく、それらの間に仕切弁２の端部が挟み込まれるため、分割片１Ａ，１Ｂを寄せ合わせる作業が不要になる。また、吊り上げた仮組み体の位置調整が容易であるため、分割片１Ａを分割片１Ｂに寄せ合わせる必要が生じても軽微な作業で済み、締結具１１も簡単に締め付けられる。
【００２８】
以上のように、この方法では、分割片１Ａと仕切弁２とを仮組みして吊り上げ、その仮組み体を水道管Ｋの上方に配置して分割片１Ａを水道管Ｋに被せることから、分割片１Ａと仕切弁２とを一体的に取扱いながら、水道管Ｋに被せる分割片１Ａの位置や姿勢を容易く変えることができる。このため、水道管Ｋに被せた分割片１Ｂに対して分割片１Ａを寄せ合わせる作業や、仕切弁２の端部を挟み込んだ分割片１Ａと分割片１Ｂとの間を締結具１１で締め付ける作業が簡単になる。また、分岐ケース１の水密な装着と仕切弁２の離脱防止のために、分割片１Ａ，１Ｂと仕切弁２とを適切に位置調整する必要があるが、仮組みの時点で少なくとも分割片１Ａと仕切弁２とが位置調整されているため、施工性を向上できる。水道管Ｋの管径が大きい場合（例えば、呼び径が２５０ｍｍ以上）であれば、分割片１Ａ，１Ｂや仕切弁２の重量が相当に大きくなるため、上記の如き装着方法が特に有用である。
【００２９】
図５に拡大して示すように、仕切弁２には、分割片１Ａの周方向端部の内側に仕切弁２の端部を配置し、その分割片１Ａの周方向端部に形成されたボルト孔１５に軸部材４を挿通した状態で、その軸部材４に対して仕切弁２の軸方向に係合する係合部３が設けられている。仮組みする工程では、そのボルト孔１５に軸部材４を挿通し、係合部３を軸部材４に対して仕切弁２の軸方向に係合させる。ボルト孔１５には後工程で締結具１１のボルトが挿通されるが、仮組みに用いる軸部材４が締結具１１のボルトである必要はない。但し、軸部材４は締結具１１のボルトであってもよく、ボルト以外の部材でも構わない。
【００３０】
本実施形態の係合部３は、仕切弁２とは別個に設けられ且つ仕切弁２に取り付け固定される係合治具３１を備える。仮組みする工程では、この係合治具３１を軸部材４に係合させる。図６のように、係合治具３１は、ボルト孔１５と軸同一に配置される孔部３２を有し、これに軸部材４を挿通させる。孔部３２をねじ孔とし、それに軸部材４としてのボルトを螺合させると、より堅固に仮組みできる。軸部材４との係合が確保される限り、孔部３２をフックやジョーボルトなど別の構造に変更することは可能である。この係合治具３１は金属製のターンバックルを流用したものであるが、これに限られない。
【００３１】
仕切弁２の外面には突起２８が形成されており、係合治具３１には突起２８の嵌入を許容する嵌入部３３が形成されている。仮組みする工程では、図５のように突起２８を係合治具３１に嵌入し、係合治具３１を仕切弁２に対して仕切弁２の軸方向に係合させる。更に、係合治具３１は、嵌入された突起２８を押圧する押圧部３４を有する。押圧部３４は、雌ねじとそれに螺合される雄ねじとからなり、その雄ねじの先端で突起２８を押圧することで、係合治具３１が仕切弁２の外面に固定される。
【００３２】
突起２８は、鋳物である弁箱２１の外面に設けられたリブの一部を突出させてなるため、その作製が簡単である。加えて、軸部材４との係合部位である孔部３２が仕切弁２とは別個の係合治具３１に設けられているため、仕切弁２自体の構造は複雑にならず、弁箱２１を鋳造する際に、孔部３２を設けるための中子は不要である。仕切弁２には少なくとも１つの係合部３が設けられるが、本実施形態では、図７のように一対の突起２８が仕切弁２に形成され、水道管Ｋの軸方向の一方側と他方側を向く仕切弁２の一対の側面に係合部３が設けられる。
【００３３】
図２，３に示すように、本実施形態では、クレーンから垂れ下げられたチェーンやワイヤなどの吊り上げ具５を仕切弁２に取り付け、その仕切弁２を引き上げることによって仮組み体を吊り上げている。分割片１Ａよりも重い仕切弁２の方を引き上げることで、吊り上げた仮組み体のバランスを取りやすい。しかも、吊り上げ具５を取り付けるためのリング部２９を水道管Ｋの軸方向における仕切弁２の中央部に設けているため、吊り上げた仮組み体の重心を取りやすい。但し、これに限定されず、吊り上げ具５を分割片１Ａに取り付け、その分割片１Ａを引き上げることで仮組み体を吊り上げても構わない。
【００３４】
この仮組み体では、図３，５に示すように、ボルト孔１５に挿通された軸部材４が、分割片１Ａのフランジから内側に突出している。分割片１Ａを水道管Ｋに被せる際には、その仮組み体の軸部材４を分割片１Ｂの周方向端部に形成されたボルト孔に挿通させることで、分割片１Ａに対する分割片１Ｂの相対位置を調整することが好ましく、これによりガイド作用を奏して施工性を向上できる。軸部材４には吊り上げ時の負荷が作用するため、分割片１Ａを水道管Ｋに被せた後は、軸部材４を取り外して新たに取り付けたボルトを締結具１１として用いることが望ましい。
【００３５】
図３では、仕切弁２が水平方向を向くように作業者が分割片１Ａを支えているが、これに限られるものではなく、例えば図２に示した吊り上げ状態のまま、即ち図８のように仮組み体を水道管Ｋの上方に配置し、分割片１Ａを水道管Ｋに被せても構わない。この分割片１Ｂは、その姿勢が保持されるように、不図示の受台などによって支持されている。
【００３６】
図８の方法の応用として、分割片１Ａと仕切弁２に分割片１Ｂを更に加えて仮組み体を構成してもよい。この場合、分割片１Ｂのボルト孔に軸部材４を挿通し、その軸部材４の先端にナットを螺合させることで、分割片１Ａ及び仕切弁２に分割片１Ｂを組み付けることが考えられる。かかる分割片１Ａ，１Ｂと仕切弁２との仮組み体を水道管Ｋの上方に配置したうえで、その分割片１Ａ，１Ｂの下方の周方向端部を互いから離して間隙を形成することで、その間隙を通じて水道管Ｋに分割片１Ａ，１Ｂを被せることができる。
【００３７】
或いは、図９のように、分割片１Ａと仕切弁２との仮組み体と一緒に、分割片１Ｂを吊り上げても構わない。この分割片１Ｂの周方向端部に形成されたボルト孔には、シャックル４１を介してベルトスリング４２の端部が連結され、図示されていない反対側も同様である。ベルトスリング４２の中央部が吊り上げ具５に引っ掛けられており、仮組み体と一緒に分割片１Ｂも吊り上げられる。これらを水道管の上方に配置したら、分割片１Ａ，１Ｂの下方の周方向端部を互いから離して間隙を形成することで、その間隙を通じて水道管に分割片１Ａ，１Ｂを被せることができる。分割片１Ａ，１Ｂの双方が吊り上げられているので、作業者が軽く引っ張るだけで間隙を形成できるとともに、水道管に被せた分割片１Ａ，１Ｂを寄せ合わせる作業も簡単になる。
【００３８】
本発明では、分岐ケースに接続される接続管として仕切弁を用いることが可能であり、前述の実施形態では、板状の弁体２２を備えた仕切弁２を接続管として用いる例を示したが、これと異なる構造を有する仕切弁、例えば図１１のようなソフトシール仕切弁を接続管として用いることも可能である。更に言えば、仕切弁でない管状体を使用してもよく、第１分割片と第２分割片との間に端部を挟み込んで分岐ケースに接続され、分岐ケースを分岐管に連通させうる限り、特に制約なく接続管として利用できる。
【００３９】
前述の実施形態では、係合部３が、図５のような係合治具３１と突起２８とを備える例を示したが、所要の仮組みを実現しうるものであれば、これに限定されない。例えば、予め軸部材と一体的に設けられている係合治具を使用したり、図１０の如く軸部材４に係合しうるように仕切弁２（弁箱２１）の外面を形成したりしても構わない。
【００４０】
前述の実施形態では、２つ割り構造の分岐ケース１において、水道管Ｋの上側に被さる分割片１Ａと仕切弁２とを仮組みする例を示したが、状況に応じて、下側に被さる分割片１Ｂと仕切弁２とを仮組みしてもよい（この場合、分割片１Ａが第２分割片、分割片１Ｂが第１分割片に相当する）。また、３つ以上の分割片により分岐ケースが構成される構造でもよく、かかる場合であっても、接続管の端部を挟み込む一対の分割片のうち何れかが、好ましくは水道管Ｋの上側に被さる分割片が接続管と仮組みされる。
【００４１】
前述の実施形態では、流体管として水道管を例に挙げたが、本発明はこれに限られるものではなく、水以外の各種の液体や気体、若しくは、液体と気体とが混在した流体などに用いられる流体管に適用できる。
【００４２】
本発明は上述した実施形態に何ら限定されるものではなく、本発明の趣旨を逸脱しない範囲内で種々の改良変更が可能である。
【符号の説明】
【００４３】
１      分岐ケース
１Ａ    第１分割片
１Ｂ    第２分割片
２      仕切弁（接続管の一例）
３      係合部
４      軸部材
１１    締結具
１５    ボルト孔
１６    分岐管
３１    係合治具
Ｋ      水道管（流体管の一例）
【図１】
2015166628.tif 000003
【図２】
2015166628.tif 000004
【図３】
2015166628.tif 000005
【図４】
2015166628.tif 000006
【図５】
2015166628.tif 000007
【図６】
2015166628.tif 000008
【図７】
2015166628.tif 000009
【図８】
2015166628.tif 000010
【図９】
2015166628.tif 000011
【図１０】
2015166628.tif 000012
【図１１】
2015166628.tif 000013
【図１２】
2015166628.tif 000014